【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信する方法であって、
関連付けが要求されるアクセスポイントの最終の宛先アドレスおよびオリジナルソースアドレスに、少なくとも部分的に、基づいて関連付けメッセージを局において暗号化すること、そして、
前記アクセスポイントへの配信のために中継器に前記暗号化された関連付けメッセージを送信すること、
を備える、上記方法。
【請求項２】
前記メッセージを暗号化することは、前記最終の宛先アドレスおよび前記オリジナルソースアドレスに基づいて追加の認証データを計算することを備え、前記追加の認証データは、マスクされたサービスの品質制御を有する、
請求項１に記載の方法。
【請求項３】
前記メッセージを暗号化することは、前記最終の宛先アドレスに基づいてノンスを計算することを備える、
請求項１に記載の方法。
【請求項４】
前記メッセージは、関連付けメッセージを備える、
請求項１に記載の方法。
【請求項５】
前記メッセージを暗号化することは、ブロック連鎖メッセージ認証コードプロトコル（ＣＣＭＰ）を持つカウンターサイファーモードに応じて前記メッセージを暗号化することを備える、
請求項１に記載の方法。
【請求項６】
ワイヤレスネットワークにおいて通信するための装置であって、
関連付けが要求されるアクセスポイントの最終の宛先アドレス、およびオリジナルソースアドレスに、少なくとも部分的に、基づいて関連付けメッセージを局において暗号化するための手段、そして、
前記アクセスポイントへの配信のために中継器に前記暗号化された関連付けメッセージを送信するための手段、
を備える上記装置。
【請求項７】
前記メッセージを暗号化するための手段は、前記最終の宛先アドレスおよび前記オリジナルソースアドレスに基づいて追加の認証データを計算するための手段を備え、前記追加の認証データは、マスクされたサービスの品質制御を有する、
請求項６に記載の装置。
【請求項８】
前記メッセージを暗号化するための手段は、前記最終の宛先アドレスに基づいてノンスを計算するための手段を備える、
請求項６に記載の装置。
【請求項９】
前記メッセージは、関連付けメッセージを備える、
請求項６に記載の装置。
【請求項１０】
前記メッセージを暗号化するための手段は、ブロック連鎖メッセージ認証コードプロトコル（ＣＣＭＰ）を持つカウンターサイファーモードに応じて前記メッセージを暗号化するための手段を備える、
請求項６に記載の装置。
【請求項１１】
コンピュータ上で動くとき請求項１から５のうちのいずれかに応じて方法を実行するためのコードを備える、コンピュータプログラム。
【手続補正２】
【補正対象書類名】明細書
【補正対象項目名】０１１１
【補正方法】変更
【補正の内容】
【０１１１】
[00125]  前述の内容は、本開示の態様に向けられているが、開示の他の態様およびさらなる態様が、その基本的な範囲から逸脱することなく考案されることができ、その範囲は、続く特許請求の範囲によって決定される。
以下に、本願出願の当初の特許請求の範囲に記載された発明を付記する。
［Ｃ１］
ワイヤレスネットワークにおいて通信する方法であって、
最終の宛先アドレス、およびオリジナルソースアドレスに、少なくとも部分的に、基づいてメッセージを暗号化すること、そして、
前記最終の宛先アドレスへの配信のために中継器に暗号化されたメッセージを送信すること、
を備える、上記方法。
［Ｃ２］
前記メッセージを暗号化することは、前記最終の宛先アドレスおよび前記オリジナルソースアドレスに基づいて追加の認証データを計算することを備え、前記追加の認証データは、マスクされたサービスの品質制御を有する、
Ｃ１に記載の方法。
［Ｃ３］
前記メッセージを暗号化することは、前記最終の宛先アドレスに基づいてノンスを計算することを備える、
Ｃ１に記載の方法。
［Ｃ４］
前記メッセージは、関連付けメッセージを備える、
Ｃ１に記載の方法。
［Ｃ５］
前記メッセージを暗号化することは、ブロック連鎖メッセージ認証コードプロトコル（ＣＣＭＰ）を持つカウンターサイファーモードに応じて前記メッセージを暗号化することを備える、
Ｃ１に記載の方法。
［Ｃ６］
ワイヤレスネットワークにおいて通信するように構成されるデバイスであって、
最終の宛先アドレス、およびオリジナルソースアドレスに、少なくとも部分的に、基づいてメッセージを暗号化するように構成されるプロセッサ、そして、
前記最終の宛先アドレスへの配信のために中継器に暗号化されたメッセージを送信するように構成される送信機、
を備える、上記デバイス。
［Ｃ７］
前記プロセッサは、前記最終の宛先アドレスおよび前記オリジナルソースアドレスに基づいて追加の認証データを計算するようにさらに構成され、前記追加の認証データは、マスクされたサービスの品質制御を有する、
Ｃ６に記載のデバイス。
［Ｃ８］
前記プロセッサは、前記最終の宛先アドレスに基づいてノンスを計算するようにさらに構成される、
Ｃ６に記載のデバイス。
［Ｃ９］
前記メッセージは、関連付けメッセージを備える、
Ｃ６に記載のデバイス。
［Ｃ１０］
前記プロセッサは、ブロック連鎖メッセージ認証コードプロトコル（ＣＣＭＰ）を持つカウンターサイファーモードに応じて前記メッセージを暗号化するようにさらに構成される、
Ｃ６に記載のデバイス。
［Ｃ１１］
ワイヤレスネットワークにおいて通信するための装置であって、
最終の宛先アドレス、およびオリジナルソースアドレスに、少なくとも部分的に、基づいてメッセージを暗号化するための手段、そして、
前記最終の宛先アドレスへの配信のために中継器に暗号化されたメッセージを送信するための手段、
を備える上記装置。
［Ｃ１２］
前記メッセージを暗号化するための手段は、前記最終の宛先アドレスおよび前記オリジナルソースアドレスに基づいて追加の認証データを計算するための手段を備え、前記追加の認証データは、マスクされたサービスの品質制御を有する、
Ｃ１１に記載の装置。
［Ｃ１３］
前記メッセージを暗号化するための手段は、前記最終の宛先アドレスに基づいてノンスを計算するための手段を備える、
Ｃ１１に記載の装置。
［Ｃ１４］
前記メッセージは、関連付けメッセージを備える、
Ｃ１１に記載の装置。
［Ｃ１５］
前記メッセージを暗号化するための手段は、ブロック連鎖メッセージ認証コードプロトコル（ＣＣＭＰ）を持つカウンターサイファーモードに応じて前記メッセージを暗号化するための手段を備える、
Ｃ１１に記載の装置。
［Ｃ１６］
非一時的なコンピュータ可読媒体であって、実行されると、装置に、
最終の宛先アドレス、およびオリジナルソースアドレスに、少なくとも部分的に、基づいてメッセージを暗号化させる、そして、
前記最終の宛先アドレスへの配信のために中継器に暗号化されたメッセージを送信させる、
コードを備える、上記媒体。
［Ｃ１７］
実行されると、前記装置に、前記最終の宛先アドレスおよび前記オリジナルソースアドレスに基づいて追加の認証データを計算させるコードをさらに備え、前記追加の認証データは、マスクされたサービスの品質制御を有する、
Ｃ１６に記載の媒体。
［Ｃ１８］
実行されると、前記装置に、前記最終の宛先アドレスに基づいてノンスを計算させるコードをさらに備える、
Ｃ１６に記載の媒体。
［Ｃ１９］
前記メッセージは、関連付けメッセージを備える、
Ｃ１６に記載の媒体。
［Ｃ２０］
実行されると、前記装置に、ブロック連鎖メッセージ認証コードプロトコル（ＣＣＭＰ）を持つカウンターサイファーモードに応じて前記メッセージを暗号化させるコードをさらに備える、
Ｃ１６に記載の媒体。